(57)【要約】【課題】本実施形態では、ローカルエリアネットワーク（ＬＡＮ）をさらに有効に活用することができ、ローカルエリア（ＬＡＮ）内で直接的に情報交換を行うことができる放送受信装置、放送受信方法を提供する。【解決手段】実施形態によれば、ＬＡＮに接続される送受信部と、他の電子機器が送信した情報を、前記ＬＡＮを介して取得するＬＡＮ情報処理部を有し、前記ＬＡＮ情報処理部は、前記情報を解析し、前記他の電子機器が受信している番組を判定し特定する外部番組判定部と、現在視聴中の番組と、前記他の電子機器が受信している前記番組と同じであるか否かを判定する共通番組判定部と、前記共通番組判定部が、現在視聴中の前記番組と、前記他の電子機器が受信している前記番組とが同じであることを判定した場合、所定の表示メッセージを出力するメッセージ出力部と、を有する。【選択図】図８
2015115935.tif 000002
【特許請求の範囲】
【請求項１】
ローカルエリアネットワーク（ＬＡＮ)に接続される送受信部と、
他の電子機器が送信した情報を、前記ＬＡＮを介して取得するＬＡＮ情報処理部を有し、
前記ＬＡＮ情報処理部は、
前記情報を解析し、前記他の電子機器が受信している番組を判定し特定する外部番組判定部と、
現在視聴中の番組と、前記他の電子機器が受信している前記番組と同じであるか否かを判定する共通番組判定部と、
前記共通番組判定部が、現在視聴中の前記番組と、前記他の電子機器が受信している前記番組とが同じであることを判定した場合、所定の表示メッセージを出力するメッセージ出力部と、
を有する電子機器。
【請求項２】
前記ＬＡＮ情報処理部は、前記送受信器を介して、前記視聴中の番組の識別情報を前記ＬＡＮ上に出力する
請求項１記載の電子機器。
【請求項３】
前記ＬＡＮ情報処理部は、前記視聴中の番組の前記識別情報、前記ＬＡＮ上に接続された複数の他の電子器に応じて送信許可又は送信禁止に設定する請求項２記載の電子機器。
【請求項４】
前記ＬＡＮ情報処理部は、所定の規格に基づいて、前記ＬＡＮ上に接続されている複数の電子機器からの情報を取得する取得部を有する請求項１記載の電子機器。
【請求項５】
前記取得部は、前記情報を取得するための自動取得部及び又は手動取得部を含み、自動取得部または手動取得部の何れか一方がアクティブに設定されている請求項４記載の電子機器。
【請求項６】
前記外部番組判定部は、前記他の電子機器が受信している番組を判定し特定する場合、前記情報に含まれる第１の識別情報を判定し、
前記共通番組判定部は、前記現在視聴中の番組の第２の識別情報と、前記第１の識別情報とが同じであるか否かを判定する、
請求項１記載の電子機器。
【請求項７】
前記共通番組判定部は、受信中の前記番組のコンテンツの一部と、他の電子機器から送信されてきた前記番組のコンテンツの一部とを用いて、２つの前記番組のコンテンツの一部が類似または同一であるか否かを判定する請求項１記載の電子機器。
【請求項８】
前記コンテンツの一部は、映像及びまたは音声データの一部であり、コマーシャル映像及び音声データは除く請求項７記載の電子機器。
【請求項９】
ローカルエリアネットワーク（ＬＡＮ)に接続される送受信部と、他の電子機器が送信した情報を、前記ＬＡＮを介して取得するＬＡＮ情報処理部を有する電子機器の制御方法であって、
前記情報を解析し、前記他の電子機器が受信している番組を判定し特定することと、
現在視聴中の番組と、前記他の電子機器が受信している前記番組と同じであるか否かを判定することと、
前記現在視聴中の前記番組と、前記他の電子機器が受信している前記番組とが同じであることを判定した場合、所定の表示メッセージを出力することと、
を備える電子機器の制御方法。
【請求項１０】
前記送受信部を介して、前記視聴中の番組の識別情報を前記ＬＡＮ上に出力する
請求項９記載の電子機器の制御方法。
【請求項１１】
前記視聴中の番組の前記識別情報を、前記ＬＡＮ上に接続された複数の他の電子器に応じて送信許可又は送信禁止に設定する請求項１０記載の電子機器の制御方法。
【請求項１２】
所定の規格に基づいて、前記ＬＡＮ上に接続されている複数の電子機器からの情報を取得する請求項１０記載の電子機器の制御方法。
【請求項１３】
前記情報を取得するための自動取得又は手動取得の何れかをアクティブに設定する請求項１０記載の電子機器の制御方法。
【請求項１４】
前記他の電子機器が受信している番組を判定し特定する場合、前記情報に含まれる第１の識別情報を判定し、
前記現在視聴中の番組の第２の識別情報と、前記第１の識別情報とが同じであるか否かを判定する、
請求項１０記載の電子機器の制御方法。
【請求項１５】
前記受信中の前記番組のコンテンツの一部と、他の電子機器から送信されてきた前記番組のコンテンツの一部とを用いて、２つの前記番組のコンテンツの一部が類似または同一であるか否かを判定し、
前記コンテンツの一部は、映像及びまたは音声データの一部であり、コマーシャル映像及び音声データは除く、
請求項１０記載の電子機器の制御方法。
【発明の詳細な説明】
【技術分野】
【０００１】
この発明の実施形態は、放送受信装置、放送受信方法に関する。
【背景技術】
【０００２】
最近、テレビジョン受信装置（以下ＴＶ装置）がインターネットに接続される場合がある。インターネットに接続されたテレビジョン受信装置は、サービスサーバをアクセスして、他の視聴者が視聴している番組情報を受け取ることも可能である。つまりインターネットに接続された複数のＴＶ装置間で、サービスサーバを介して相互の情報の交換を行うことができる。
【０００３】
また最近では、家庭内にもローカルエリアネットワーク（家庭内ＬＡＮ）が設けられている。家庭内ローカルエリアネットワークには、複数のＴＶ装置、複数の記録再生装置、セットトップボックス、及びローカルサーバなどが接続されることがある。
【先行技術文献】
【特許文献】
【０００４】
【特許文献１】特開２００９−１５２７４５号公報
【発明の概要】
【発明が解決しようとする課題】
【０００５】
家庭内ＬＡＮは、例えば家庭内に設置されているセットトップボックスやローカルサーバから家庭内の複数のＴＶ装置に、放送番組やデータを配信するために利用されている。
【０００６】
このようなＬＡＮは、まだまだ開発途上にある段階であり、細部に亘って改良の余地が多々残されている。例えば別々の部屋で同じ番組を視聴していたことが後で分かり一緒に視聴できればよかったと思うことがある等、ネットワークを利用した通信が実用的な面で十分に活かしきれてないのが現状である。
【０００７】
そこで本実施形態では、ローカルエリアネットワーク（ＬＡＮ）をさらに有効に活用することができ、ローカルエリア（ＬＡＮ）内で直接的に情報交換を行うことができる放送受信装置、放送受信方法を提供することを目的とする。
【課題を解決するための手段】
【０００８】
実施形態によれば、ローカルエリアネットワーク（ＬＡＮ)に接続される送受信部と、他の電子機器が送信した情報を、前記ＬＡＮを介して取得するＬＡＮ情報処理部を有し、
前記ＬＡＮ情報処理部は、
前記情報を解析し、前記他の電子機器が受信している番組を判定し特定する外部番組判定部と、現在視聴中の番組と、前記他の電子機器が受信している前記番組と同じであるか否かを判定する共通番組判定部と、前記共通番組判定部が、現在視聴中の前記番組と、前記他の電子機器が受信している前記番組とが同じであることを判定した場合、所定の表示メッセージを出力するメッセージ出力部と、を有する。
【図面の簡単な説明】
【０００９】
【図１】実施形態が適用されたローカルエリアネットワーク上の装置の代表的な配置例を示す図である。
【図２】実施形態が適用されたＴＶ装置の代表的な構成例を示す図である。
【図３】リモートコントローラの外観を示す図である。
【図４】実施形態が適用されたＴＶ装置において、他のＴＶ装置の検索動作を設定するための代表的な例を説明するフローチャートである。
【図５】実施形態が適用されたＴＶ装置において、他の出力メッセージ（ニックネームや設置場所）の設定の代表的な例を説明するフローチャートである。
【図６】実施形態が適用され、ＬＡＮ上に接続された複数のＴＶ装置に対して、さらに各種の設定が適用可能な代表的な例を説明するフローチャートである。
【図７】実施形態が適用されたＴＶ装置の代表的な動作例を説明するフローチャートである。
【図８】実施形態が適用されたＴＶ装置においてＬＡＮ情報処理部内に構成された機能ブロックの代用的な例を示す図である。
【図９】実施形態が適用されたローカルエリアネットワーク上の装置の他の配置例を示す図である。
【図１０】実施形態が適用されたローカルエリアネットワーク上の装置のさらに他の配置例を示す図である。
【図１１】ローカルエリアネットワーク上の装置から情報を送るための他の実施例を示す図である。
【発明を実施するための形態】
【００１０】
以下、実施の形態について図面を参照して説明する。図１は、この実施の形態で説明するローカルエリアネットワークシステムが構築された一戸建の住居１１の一例を概略的に示している。この住居１１は、２階建てで、１階に例えば２つの部屋１２，１３を有し、２階にも２つの部屋１４，１５を有する構造となっている。
【００１１】
そして、１階の各部屋１２，１３には、それぞれ、ＴＶ装置１６，１７が設置されており、２階の各部屋１４，１５にも、それぞれ、ＴＶ装置１８，１９が設置されている。また、１階及び２階の各一方の部屋１２，１５には、それぞれ、光ディスクレコーダやＨＤＤ（hard disk drive）等の記録再生装置２０，２１が設置されている。
【００１２】
各ＴＶ装置１６〜１９及び一方の記録再生装置２０は、それぞれネットワーク接続機能を有しており、ローカルエリアネットワーク２２によって相互に接続されている。なお、記録再生装置２１は、ＴＶ装置１９に対して双方向通信可能に接続されている。
【００１３】
この場合、ローカルエリアネットワーク２２に直接接続されている各ＴＶ装置１６〜１９及び記録再生装置２０は、それぞれ、通信制御や管理のためのサーバ等を用いることなく、ローカルエリアネットワーク２２を介して相互間で直接双方向通信を行なうことが可能となる。
【００１４】
ここで、各ＴＶ装置１６〜１９は、それぞれ、自己が現在受信して選局し映像表示や音声再生を行なっている番組、つまり、ユーザの現在の視聴に供している番組について、その番組を示す情報（例えば番組タイトル等）をローカルエリアネットワーク２２上に出力する機能（視聴情報出力機能）を備えている。
【００１５】
また、各ＴＶ装置１６〜１９は、それぞれ、上記視聴情報出力機能によりローカルエリアネットワーク２２上に出力された情報を受信することができる。そして、各ＴＶ装置１６〜１９は、それぞれ、その受信した前記情報に基づいて、自己以外のどのＴＶ装置１６〜１９がどの番組を視聴に供しているかを表示する機能（視聴番組表示機能）を備えている。
【００１６】
これにより、例えばＴＶ装置１６で番組を視聴しているユーザは、視聴番組表示機能により自己の受信装置１６に表示された内容を見て、他の部屋１３〜１５のＴＶ装置１７〜１９で現在視聴されている番組を知ることができる。
【００１７】
このため、例えばＴＶ装置１６で番組を視聴しているユーザは、他の部屋１３、１４或いは１５で同じ番組を視聴しているユーザを部屋１２に呼んで一緒に視聴することが可能となる。また例えばＴＶ装置１６で番組を視聴していたユーザは、同じ番組を視聴しているユーザが居る他の部屋１３、１４或いは１５に移動することも可能である。これにより、ローカルエリアネットワーク２２を利用して十分に実用に適した双方向通信が可能であり、ユーザにとっての利便性をより一層向上させることができるようになる。
【００１８】
図２は、上記ＴＶ装置１６の信号処理系の一例を概略的に示している。なお、他のＴＶ装置１７〜１９の信号処理系については、ＴＶ装置１６と略同様な構成であるので、その説明は省略する。
【００１９】
ＴＶ装置１６は、例えばスクランブルされたデジタル地上波放送信号を受信する複数のチューナを含むデジタルのチューナ装置１０２を有する。チューナ装置１０２は例えばＢＳ（broadcasting satellite）／ＣＳ（communication satellite）デジタル放送受信用のチューナ（図示せず）を含んでも良い。
【００２０】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記録再生装置１１１に入力される。またＴＳ処理部１２２に入力したＴＳの中で、制御情報を含むパケットは、制御部２００に入力されて処理される。
【００２１】
記録再生装置１１１は、例えば、ハードディスクドライブ及び又は光ディスク記録再生装置を含む。光ディスクとしては、デジタルバーサタイルディスク（ＤＶＤ）及び又はブルーレイディスク（登録商標）（ＢＤ）などが採用される。
【００２２】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報を含む。
【００２３】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。ＡＶデコーダ１２６は、番組の映像パケットと、オーディオパケットを分離し、各パケット内のデータを各方式に応じてデコードする。
【００２４】
したがって、ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００２５】
ＴＳ処理部１２２で分離されたパケットの中で映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からのデータ、図形、番組表などをメイン映像信号に多重することができる。また映像出力部１３３は、出力映像信号に対して表示器１３４に応じたスケール、解像度、ライン数、アスペクト比などを設定して、表示器１３４に向けて出力する。
【００２６】
なお、有料番組のオーディオパケット、映像パケットが暗号化されている場合もある。この場合、鍵情報を用いて暗号化を解くための処理系統もあるがここでは省略している。
【００２７】
制御部２００は、中央演算処理ユニット（ＣＰＵ）２０１、操作コマンド処理部２０２、通信制御部２０３、操作デバイス管理部２０４、表示処理部２１１、メモリ２１２を含む。さらにＥＰＧ(Electric program guide)データ処理部、記録制御部、などを含むがここでは示していない。
【００２８】
ＣＰＵ２０１は、制御部２００の全体の動作シーケンスの制御を行っている。操作コマンド処理部２０２は、外部から入力する操作コマンドを解析し、コマンドに応じた動作をＴＶ装置１６に反映させることができる。
【００２９】
操作デバイス管理部２０４は、制御部２００に対して操作信号を与える携帯端末５００，５０１、リモートコントローラ１１５などのデバイス識別データを把握し、管理することができる。
【００３０】
表示処理部２１１は、映像出力部１３３を介して表示器１３４に表示される映像信号を全般的に制御することができる。また表示処理部２１１は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。メモリ２１２は、制御部２００内で保存する各種のデータ、アプリケーションなどを保存することができる。
【００３１】
通信制御部２０３は、外部との通信を行い、操作コマンド、データ、コンテンツ、などを取り込むことができる。取り込まれたコンテンツ、及びデータは、例えば記録再生装置１１１、或いはメモリ２１２に格納されることができる。
【００３２】
通信制御部２０３は、ＴＶ装置１６から外部に向けて、データ、コンテンツ、などを送信することができる。通信制御部２０３は、有線通信送受信部１１２、無線通信送受信部１１３、受信部１１４、ＬＡＮ送受信部１１５と接続されている。また通信制御部２０３は、有線通信送受信部１１２、無線通信送受信部１１３、受信部１１４、ＬＡＮ送受信部１１５を介して外部からのコンテンツデータ、制御データなどを受け取ることができる。
【００３３】
無線通信送受信部１１３は、複数の携帯端末５００、５０１との間でデータの送受信を行うことができ、近距離通信用である。携帯端末５００、５０１は、ＴＶ装置１００をリモートコントロールすることもできる。携帯端末５００、５０１は、図示しない基地局、インターネットなどを介してサーバをアクセスすることができる。携帯端末５００、５０１は、サーバからコンテンツ、各種のアプリケーション、ゲームソフトなどをダウンロードし、無線通信送受信部１１３を介して、制御部２００に転送することが可能である。また携帯端末５００、５０１は、コンテンツを取得するための情報（例えばウェブサーバのアドレス、メールアドレス、ネットワークアドレスなど）を、無線通信送受信部１１３を介して、制御部２００に転送することが可能である。
【００３４】
携帯端末５００や５０１からコンテンツ、アプリケーション、或いはゲームソフトが転送されてくるときは、通信制御部２０３が動作する。通信制御部２０３は、受け取ったコンテンツをメモリ２１２に格納する。コンテンツは、操作コマンドに応じて、或いは自動的に記録再生装置１１１に格納されてもよい。記録再生装置１１１は、受け取ったコンテンツを例えばハードディスクに記録させることができる。ハードディスクにおいては、コンテンツはコンテンツファイルとして管理される。
【００３５】
また、通信制御部２０３は、リモートコントローラ１１５からの操作信号を、受信部１１４を介して受け取ることもできる。
【００３６】
有線通信送受信部１１２は、インターネットを介して、遠隔サーバとの間でデータの送受信を行うことができる。
【００３７】
表示用のメニュー映像信号、番組表映像信号などは、表示処理部２１１に格納及びまたは管理されている。メニューの表示又は番組表の表示が行われるときは、メニュー画面データ又は番組表映像信号が、表示制御部２０３の制御に基づき、データ格納部（メモリ或いはハードディスク）から読み出され、表示処理部１２８に供給される。これにより、メニュー画像又は番組表画像が表示器１３４に表示される。
【００３８】
表示用のメニュー映像信号又は番組表映像信号などは、携帯端末５００或いは５０１に送信されることもできる。携帯端末５０１或いは５０２がメニュー映像信号又は番組表映像信号などを要求した場合、表示処理部２１１は、メニュー映像信号、番組表映像信号を送信することができる。
【００３９】
携帯端末５０１或いは５０２は、メニュー映像信号、番組表映像信号をタッチ式パネルの画面に表示することができ、ユーザは、タッチ（或いはポイント）式パネルの画面に表示された操作ボタンに触れることにより、ＴＶ装置に動作指令を与えることができる。
【００４０】
ＬＡＮ送受信部１１５は、家庭内ＬＡＮと接続されている。
【００４１】
制御部２００は、さらにＬＡＮ情報処理部２３１を有する。ＬＡＮ情報処理部２３１は、家庭内ＬＡＮを介して、他の電子装置と直接的に情報の送受信を行うことができる。この機能及び動作については、後で詳細に説明する。
【００４２】
図３は、上記リモートコントローラ３８の外観を示している。このリモートコントローラ３８には、主として、電源キー３８ａ，数字キー３８ｂ，チャンネルアップダウンキー３８ｃ，音量調整キー３８ｄ，カーソル上移動キー３８ｅ，カーソル下移動キー３８ｆ，カーソル左移動キー３８ｇ，カーソル右移動キー３８ｈ，決定キー３８ｉ，メニューキー３８ｊ，戻るキー３８ｋ，終了キー３８ｌ及び４色（青，赤，緑，黄）のカラーキー３８ｍ等が設けられている。
【００４３】
また、このリモートコントローラ３８には、再生停止キー３８ｎ，再生／一時停止キー３８ｏ，逆方向スキップキー３８ｐ，順方向スキップキー３８ｑ，早戻しキー３８ｒ及び早送りキー３８ｓ等が設けられている。すなわち、上記記録再生部２７に対しては、リモートコントローラ３８の再生停止キー３８ｎや再生／一時停止キー３８ｏを操作することによって、再生，停止及び一時停止を行なうことが可能となる。
【００４４】
また、リモートコントローラ３８の逆方向スキップキー３８ｐや順方向スキップキー３８ｑを操作することによって、記録再生部２７で再生している映像や音声等のデータを、その再生方向に対して逆方向や順方向に一定量ずつスキップさせる、いわゆる、逆方向スキップや順方向スキップを行なうことができる。
【００４５】
さらに、リモートコントローラ３８の早戻しキー３８ｒや早送りキー３８ｓ等を操作することにより、記録再生部２７で再生している映像や音声等のデータを、その再生方向に対して逆方向や順方向に連続的に高速で再生させる、いわゆる、早戻し再生や早送り再生を行なうことができる。
【００４６】
図４は、ＴＶ装置１６の初期設定時の操作手順を示す図である。この図は、特にＬＡＮ上に接続された他のＴＶ装置を検索し情報を取得する際、自動的に検索を実施するのか、または手動操作にもとづいて検索するのか、いずれかを設定するための手順を示している。設定メニューには、他のＴＶ装置を検索するための項目（ＬＡＮ内機器検索方法設定）が用意されている。
【００４７】
設定メニューが表示器１３４に表示されたとき、例えばリモートコントローラ操作により、項目（ＬＡＮ内機器検索方法設定）が選択されて決定ボタンが押されると、同一番組を視聴しているＬＡＮ接続ＴＶ装置の検索を「手動」で開始？または「自動」で開始？の選択項目が表示される（ステップＳ１、Ｓ２）。
【００４８】
「自動」が設定された場合、ＴＶ装置１６は、ＬＡＮ上に接続されている他のＴＶ装置をたとえば１０分おき、或いは３０分おき、或いは１時間おきにポーリングにより検索する。そして、他のＴＶ装置が現在視聴している例えば番組情報を取得することができる。
【００４９】
「手動」が設定された場合、ＴＶ装置１６は、ユーザからの特定の操作入力があったときのみ、ＬＡＮ上に接続されている他のＴＶ装置を検索することができる。しかし、ユーザは、特定の操作入力を実施することを、忘れる、或いは気が付かない場合がある。そこで、ＴＶ装置１６が、例えば一定時間、或いは電源がオンされたときに、メッセージを出力するための設定が行われることができる（ステップＳ３）。メッセージとしては例えば、「他のＴＶ装置を手動で検索できます」、「手動検索したＴＶ装置を登録することができます」などの項目がある。設定終了のボタンが押されると、上記の検索用の設定は終了する（ステップＳ４）。
【００５０】
図５は、ＴＶ装置に対してニックネームやＴＶ設置場所を設定するための手順を示す図である。
【００５１】
設定メニューの中には、「このＴＶ装置の設置場所を設定」、「このＴＶ装置の名前を設定」などの項目が用意されている。そこで項目「このＴＶ装置の設置場所を設定」及びまたは「このＴＶ装置の名前を設定」が、リモートコントローラ操作により選択され決定ボタンが押されると、設置場所の入力スペース、及びまたは名前の入力スペースが表示器に表示される。ユーザは、リモートコントローラ或いは携帯端末を利用して、設置場所（台所、居間、寝室、書斎など）の設置場所を前記スペースに入力することができる。また、ユーザは、リモートコントローラ或いは携帯端末を利用して、ＴＶ装置の名前（例えば、ベティー、ジャック、太郎など）を前記スペースに入力することができる。
【００５２】
上記した設置場所やＴＶ装置名は、ＬＡＮ情報処理部２３１の制御に基づいて、他のＴＶ装置に伝送されることができる。この場合、前記設置場所やＴＶ装置名は、現在視聴している番組の番組識別情報と共に、他のＴＶ装置に伝送されることができる。
【００５３】
前記番組識別情報と共に前記設置場所やＴＶ装置名を、受信したＴＶ装置は、送信元のＴＶ装置がどのような番組を視聴しており、またどの場所に設置されているか、名前は何であるかを知ることができることができる。
【００５４】
図６は、ＬＡＮ上に接続された複数のＴＶ装置に対して、さらに各種の設定が適用可能であることを説明するフローチャートである。図は、ＴＶ装置において、どのようなメッセージを表示するか否かを設定するためのフローチャートである。ＬＡＮ情報処理部２３１の動作に関連する設定メニューにおいては、「メッセージ表示設定」の項目が用意されている。項目「メッセージ表示設定」が、例えばリモートコントローラ操作により選択され決定ボタンが押されると、次の３つのような設定メニューが表示される。
【００５５】
（i）登録済みＴＶ装置のリストを表示するか否かをきめるための設定メニューが表示器１３４に表示される（ステップＳＢ１，ＳＢ２）。登録済みＴＶ装置は、ＬＡＮ上に接続され、相互通信機能により認識され、通信機器管理部に登録されたＴＶ装置である。
【００５６】
（ii）又他のＴＶ装置へ自視聴情報を送信するか否かを決めるための設定メニューが表示器１３４に表示される（ステップＳＢ３）。自視聴情報とは、現在視聴している番組の識別情報（番組情報及びまたは設置場所情報、ＴＶ装置名など）である。
【００５７】
（iii）また、他のＴＶ装置から取得した、他のＴＶ装置が視聴している情報を表示するか否かを決めるための設定メニューが表示器１３４に表示される（ステップＳＢ４）。他のＴＶ装置が視聴している情報とは、他のＴＶ装置でどのような番組が視聴されているかどうかを示す情報であり、例えば、番組名と設置場所或いはＴＶ装置名などが合わせて表示される。ここで表示形態は、以下の２つの種類の項目が可能である。
【００５８】
他のＴＶ装置で視聴されている番組が、自己のＴＶ装置で視聴している番組と同一番組であることを示すメッセージを表示する第１項目。
【００５９】
他のＴＶ装置で視聴されている番組が、自己のＴＶ装置で視聴している番組と異なる番組であることを示すメッセージを表示する第２項目。
【００６０】
第１項目と第２項目のメッセージは、例えば色により識別されてもよいし、マークなどで識別されてもよい。
【００６１】
さらに上記のメッセージの表示位置が設定されることができる（ステップＳＢ５）。メッセージ表示位置は、いくつかの候補の中から選択される。さらにまた、メッセージの表示タイミングが設定されることができる（ステップＳＢ６）。
【００６２】
メッセージの表示タイミングとしては、例えば１０分毎、３０分毎、１時間毎、などから選択することができる。
【００６３】
図７は、ＴＶ装置の他の動作例を示すフローチャートである。ＴＶ装置がオンされ、放送番組または録画番組の視聴が開始されるものとする（ステップＳＣ１、ＳＣ２）。ＴＶ装置は登録済みＴＶ装置のスキャン或いはポーリングを実行する（ステップＳＣ３）。なお登録済みのＴＶ装置のみならずＬＡＮ上に接続されている全てのＴＶ装置をスキャンしてもよい。さらに、登録済みＴＶ装置に対して、視聴情報を送信する（ステップＳＣ４）。視聴情報は、現在視聴している番組の識別情報、設置場所情報、ＴＶ装置名などを含んでも良い。
【００６４】
また登録済み或いはＬＡＮ上のＴＶ装置（他のＴＶ装置）から、視聴情報を受信する（ステップＳＣ５）。ここで、外部番組判定部が、視聴情報を解析し、他のＴＶ装置が受信している番組を判定し特定する。次に共通番組判定部が、現在視聴中の番組と、前記他のＴＶ装置が受信している前記番組と同じであるか否かを判定する。
【００６５】
そしてメッセージ出力部が、共通番組判定部が、現在視聴中の前記番組と、前記他のＴＶ装置が受信している前記番組とが同じであることを判定した場合、所定の表示メッセージを出力する。
【００６６】
図８は、上記した各種の動作を実行するために、ＬＡＮ情報処理部２３１内に構成された機能ブロックの例を示している。
【００６７】
情報取得部２３１１、手動取得部２３１２、自動取得部２３１３は、図４で説明した初期設定時の設定データを利用することができる。また図４で説明した手動検索に関するメッセージは、メッセージ出力部２３２５、メッセージ設定部２３２６で利用される。
【００６８】
即ち、メッセージ設定データは、メッセージ設定部２３２６で保持される。各種メッセージは、メッセージ出力部２３２５から表示器に選択的に出力される。各種メッセージは、メッセージ設定データに基づいて、選択されることができる。
【００６９】
メッセージ設定部２３２６には、図５で設定されたＴＶ装置のニックネームや設置場所のデータが保持され、このデータは、メッセージ出力部２３２５から表示器や通信系統に出力されることができる。
【００７０】
通信機器管理部２３３３の管理データには、図６で説明した「登録済みＴＶ装置のリスト」のデータが含まれている。また通信機器管理部２３３３の管理データには、ＬＡＮ上に接続された複数のＴＶ装置がその識別情報とともに登録されている。
【００７１】
また、他のＴＶ装置へ自視聴情報を送信するか否かを決めるための設定データは、番組情報出力部２３３０に格納されている。この設定データに基づいて、情報出力許可部２３３１または情報出力禁止部２３３２がアクティブとされる。送信先の機器は、通信機器管理部２３３３により管理される。
【００７２】
また他のＴＶ装置から取得した、他のＴＶ装置が視聴している情報を表示するか否かを決めるための設定データもメッセージ設定部２３２６に格納されている。そして、他のＴＶ装置で視聴されている番組名と設置場所或いはＴＶ装置名などが表示されるときには、メッセージ出力部２３５から表示器２３４に出力される。またメッセージの表示位置を示すデータ、メッセージの表示タイミングを決めるデータもメッセージ設定部２３２６に格納されている。
【００７３】
外部番組判定部２３１４は、図７で説明したように、登録済み或いはＬＡＮ上のＴＶ装置（他のＴＶ装置）から、視聴情報が受信されたとき、視聴情報を解析し、他のＴＶ装置が受信している番組を判定し特定する。共通番組判定部２３２１は、現在視聴中の番組と、前記他のＴＶ装置が受信している前記番組と同じであるか否かを判定する。
【００７４】
共通番組判定部２３２１は、２つの番組の共通性を判定する手法として、複数の手法を採用することができる。例えば、第１の番組の番組情報と、他の番組の番組情報とを比較して両者が一致するか否かを判定する手法がある。番組情報としては、番組名が代表的である。番組情報には、出演者名も含まれるので、両番組の出演者名が判定材料として比較されてもよい。
【００７５】
さらに、第１の番組と第２の番組の音楽或いは映像の一部コンテンツを比較することにより、両者が同一番組であるか否かを判定することも可能である。
【００７６】
図９は、ＬＡＮにＴＶ装置１６、１７−１９が接続された状態を示している。これらのＴＶ装置１６−１９は、図２のＬＡＮ情報処理部２３１を有する装置である。したがって、それぞれのＴＶ装置１７−１９が図３−図８で説明した機能及び動作を実行することができる。
【００７７】
図１０は、ＬＡＮ上のＴＶ装置１６と、ＴＶ装置２３−２６が接続された状態を示している。この状態では、ＴＶ装置１６は、図３−図８で説明した機能及び動作を実行することができる。しかし、ＴＶ装置２３−２６は、図２で示しているＬＡＮ情報処理部２３１を有しない装置２３−２６である。
【００７８】
このような装置２３−２６がＴＶ装置１６に対して自視聴番組情報を送信するために、図１１に示すように、アダプタ６００が使用されている。アダプタ６００は、ピン６１１、コネクタ６００ｂ、変調回路６１２、合成部６１３などを有する。
【００７９】
アダプタ６００のピン６１１は、ＴＶ装置２３−２６の例えば音声データ出力コネクタ６００ａに接続されることができる。コネクタ６００ａに接続されたピン６１１は、コネクタ６００ｂと、変調回路６１２に接続されている。変調回路６１２は、ピン６１１から入力した一定期間（或いは周期的）の音声データを所定の周波数で変調し、合成回路６１３に入力する。合成回路６１３では、ＬＡＮ上に出力する情報と音声データ変調信号とを合成し、ＬＡＮ送受信部１１５に出力する。これにより他のＴＶ装置１６に対して、所定の周波数の音声データ変調信号が送信されることになる。音声データの代わりに一定期間（或いは周期的）の映像データが利用されてもよい。
【００８０】
一方、ＴＶ装置１６では、情報取得部２３１１が、一定期間の前記音声データ或いは映像データを取得することができる。そして、図８に示している共通番組判定部のコンテンツ比較部は、自己が受信している番組の音声データ或いは映像データと、外部から送られて来た音声データ或いは映像データと、を比較する。これにより、外部データ（音声データまたは映像データ）と内部データ（音声データまたは映像データ）とが類似または同じであるかどうかを判定することができる。つまり共通番組判定部２３２１は、ＴＶ装置１６とＴＶ装置２３−２６が同じ番組を視聴しているかどうかを判定することができる。この場合受信側のＴＶ装置は、コマーシャル期間の音声データ及び映像データは、比較しないようにしている。
【００８１】
なお上記した考え方は、放送受信システム、放送受信装置のプログラム、及び該プログラムを格納した情報記録再生媒体にも適用できることは勿論のことである。
【００８２】
コンピュータにより読み取り可能な情報記録再生媒体は、プログラムを格納しており、前記プログラムは、本装置をローカルエリアネットワーク（ＬＡＮ)に接続するための命令と、他の電子機器が送信した情報を前記ＬＡＮを介して取得し、該情報を処理するための命令とを有し、コンピュータに該情報を処理させるための複数の命令は、
前記情報を解析し、前記他の電子機器が受信している番組を判定し特定させる命令と、現在視聴中の番組と、前記他の電子機器が受信している前記番組と同じであるか否かを判定させる命令と、前記現在視聴中の前記番組と、前記他の電子機器が受信している前記番組とが同じであることを判定した場合、所定の表示メッセージを出力させる命令と、を備える。
【００８３】
また前記複数の命令は、コンピュータに、送受信器を介して、前記視聴中の番組の識別情報を前記ＬＡＮ上に出力させる命令を備える。
【００８４】
また前記複数の命令は、コンピュータに、前記視聴中の番組の前記識別情報、前記ＬＡＮ上に接続された複数の他の電子器に応じて送信許可又は送信禁止に設定させる命令を備える。
【００８５】
また前記複数の命令は、コンピュータに、所定の規格に基づいて、前記ＬＡＮ上に接続されている複数の電子機器からの情報を取得させる命令を備える。この取得させる命令は、前記情報を取得するための自動取得または手動取得の何れかをアクティブに設定する命令を備える。
【００８６】
上記した説明において、各ブロックの用語において「部」は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。
【００８７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【００８８】
１６−１９・・・テレビジョン受信装置（ＴＶ装置）、１０２・・・チューナ装置、１１５・・・ＬＡＮ送受信部、１２２・・・ＴＳ処理部、１２３・・・オーディオデコーダ、１２４・・・オーディオデータ処理部、１２５・・・オーディオ出力部、１３１・・・映像デコーダ、１３２・・・映像データ処理部、１３３・・・映像出力部、１３４・・・表示器、２００・・・制御部、２３１・・・ＬＡＮ情報処理部、２３１１・・・情報取得部、２３１２・・・手動取得部、２３１３・・・自動取得部、２３１４・・・外部番組判定部、２３２１・・・共通番組判定部、２３２５・・・メッセージ出力部、２３２６・・・メッセージ設定部、２３３０・・・番組情報出力部、２３３１・・・情報出力許可部、２３３２・・・情報出力禁止部、２３３３・・・通信機器設定部
【図１】
2015115935.tif 000003
【図２】
2015115935.tif 000004
【図３】
2015115935.tif 000005
【図４】
2015115935.tif 000006
【図５】
2015115935.tif 000007
【図６】
2015115935.tif 000008
【図７】
2015115935.tif 000009
【図８】
2015115935.tif 000010
【図９】
2015115935.tif 000011
【図１０】
2015115935.tif 000012
【図１１】
2015115935.tif 000013